【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
各々が上端付近の内部に開口部を有する手保護バリアの山から手保護バリアを分出する手保護バリア分出器であって、
前記手保護バリアの山を分出用に中に載置できる受容器を含むハウジングと、
前記ハウジング中に配置され、電力を供給されると、空気を吹き出す排気口を有する電気ブロアと、
前記ハウジング内に配置され、電力源に接続されて、作動されると前記電気ブロアに電力を供給し、作動されないと前記ブロアに電力を供給しないように構成されているスイッチ機構と、
前記電気ブロアの排気口に操作可能に接続され、前記スイッチ機構が作動されると、前記電気ブロアから吹き出された空気を受け取り、利用者が利用者の手を前記手保護バリアの山の前記最上の手保護バリアの開口部を通して挿入して前記最上の手保護バリアを着用しやすくするために、前記最上の手保護バリアを開口させるように、前記吹き出された空気を前記最上の手保護バリアの開口部に向かわせる少なくとも一つのノズルと、
前記手保護バリア分出器を操作して、前記手保護バリアを開口させる電子システムと、
を備え、
前記電子システムは、
電子システムボードと、
前記ハウジングに配置され、前記電子システムボードに電気的に接続される一つ以上のバッテリと、
前記手保護バリアの山の前記最上の手保護バリアの前記開口部に隣接した位置にユーザの手が近づいたことを検出するシステムセンサーとを備え、
前記利用者の手が中に位置している前記最上の手保護バリアを、前記手保護バリアの山の残りから引き離すことによって、利用者によって着用された前記最上の手保護バリアが、前記手保護バリアの山から抜き出されることを特徴とする手保護バリア分出器。
【請求項２】
前記受容器は、第１および第２の側部と、第１および第２の端部とを有し、    
前記手保護バリアの前記上端が前記受容器の前記第１の端部に近く配置された状態で、前記手保護バリアの山が前記受容器の中に載置される、ことを特徴とする請求項１に記載の手保護バリア分出器。
【請求項３】
前記手保護バリアは、本質的に長方形であり、付近に孔が配置された角があり、
山の中の前記手保護バリアは、前記山の手保護バリアの各々の角付近の孔に配置されたスプールで束ねられて保持されており、各々のスプールはその中を貫通して延出する孔を有し、
前記受容器は、さらに、各々が、前記第１および第２の側部のうちの１つと前記第１および第２の端部のうちの１つの交点で定義される４つの角の各々の付近で前記受容器の中に設置された分出器用搭載ペグを備え、
前記手保護バリアの山は、前記手保護バリアの山の前記複数のスプールを前記分出器搭載用ペグの対応する１つに設置することによって載置される、
ことを特徴とする請求項２に記載の手保護バリア分出器。
【請求項４】
前記手保護バリアの山は、さらに、その前記角のうちの２つを含む前記手保護バリアの上端を包み込むカラーを備え、
前記角の付近のスプールも、前記カラーの中に配置された孔を通して延出しており、
前記角付近に前記スプールがある状態の前記分出器搭載用ペグもまた、前記分出器搭載用ペグに設置された前記カラーの中に配置された孔を通して延出して、前記カラーと手保護バリアの上端を前記受容器の付近の位置に保つために前記受容器内に設置構成されていることを特徴とする請求項３に記載の手保護バリア分出器。
【請求項５】
前記受容器は、Ｖ字形の断面で設置構成されており、前記Ｖ字の稜線が、前記受容器の前記第１および第２の側部と本質的に平行な方向に、かつ両者の中ほどで延出し、
前記手保護バリアの山が前記受容器に載置されると、前記手保護バリアの山もまた、Ｖ字形の断面で設置構成され、前記Ｖ字の稜線が、前記手保護バリアの山の手保護バリアの第１および第２の側部と本質的に平行な方向に、かつ両者の中ほどで延出している、
ことを特徴とする請求項２に記載の手保護バリア分出器。
【請求項６】
前記受容器が、長方形の持ち上げられたフロアを備え、
前記フロアは、前記受容器の前記第１および第２の側部の中間で延出し、しかし、前記手保護バリアの山の前記手保護バリアの前記開口部を、前記手保護バリアの上端の上に持ち上げるように設置構成され、前記受容器の前記第１の端部から離れて配置され、前記少なくとも１つのノズルから吹き出された空気が、前記手保護バリアの山の手保護バリアの最上の１つの手保護バリアを容易に開口できるようにすることを特徴とする請求項５に記載の手保護バリア分出器。
【請求項７】
前記各々の手保護バリアの山の開口部は、前記手保護バリアの山の最上の手保護バリアが一旦開口されると、開口したままにしやすくする折り畳まれた折り返しを有する、ことを特徴とする請求項５に記載の手保護バリア分出器。
【請求項８】
少なくとも１つのノズルが配置され、前記最上の手保護バリアを開口するように構成されていることを特徴とする請求項５に記載の手保護バリア分出器。
【請求項９】
前記少なくとも１つのノズルは、前記受容器の前記第１の端部付近の位置で前記手保護バリア分出器内に設置されていることを特徴とする請求項２に記載の手保護バリア分出器。
【請求項１０】
前記受容体の略全体が上側で開口しており、前記手保護バリアの山が、分出される位置に載置されたときに、前記手保護バリアの山が目視できるようにすることを特徴とする請求項１に記載の手保護バリア分出器。
【請求項１１】
前記少なくとも１つのノズルは、一対のノズルを備え、
前記一対のノズルは、前記手保護バリアの山の最上の前記手保護バリアを開口し、オプションで、前記手保護バリアの山の最上の前記手保護バリアを、さらに、開口状態に維持するように設置構成されていることを特徴とする請求項１に記載の手保護バリア分出器。
【請求項１２】
前記スイッチ機構が作動されて、前記手保護バリアの山の最上の手保護バリアを持ち上げるに足る時間の期間だけ前記電気ブロアを作動させるよう電力を供給し、前記時間の期間は、約１秒から約１０秒の間である、ことを特徴とする請求項１３に記載の手保護バリア分出器。
【請求項１３】
前記システムセンサが、
光信号または高周波信号を生成する信号源と、
前記光信号または高周波信号が、前記センサに十分に近いところから反射する場合は、反射した前記光信号または高周波信号を検知する信号センサと、
を備えることを特徴とする請求項１に記載の手保護バリア分出器。
【請求項１４】
前記電子システムは、前記手保護バリアを開口させるために、前記システムセンサによって、前記手保護バリアの山の最上の手保護バリアの開口部に十分に近い位置にある利用者の手が検出された後に、所定の時間の期間だけ前記手保護バリア分出器を作動させるように設置構成され、
前記所定の時間の期間が十分長く、前記手保護バリアの山の最上の手保護バリアの開口部の付近に検出された前記利用者の手が、前記最上の手保護バリアと係合し、前記最上の手保護バリアを、前記手保護バリアの山から除去でき、それによって、前記最上の手保護バリアの除去に続いて、前記手保護バリアの山のうちの次の手保護バリアが開口されることを特徴とする請求項１に記載の手保護バリア分出器。
【請求項１５】
前記所定の時間の期間は３秒から２０秒の間である、ことを特徴とする請求項１４に記載の手保護バリア分出器。
【請求項１６】
前記電子システムは、前記手保護バリア分出器を作動させて、前記手保護バリアの山の最上の手保護バリアの開口部の十分近くに、利用者の手が前記システムセンサによって検出されると前記手保護バリアを開口するように設置構成されている、ことを特徴とする請求項１に記載の手保護バリア分出器。
【請求項１７】
前記ハウジングの外部から目視できるインディケータＬＥＤをさらに備え、
前記電子システムは、前記システムセンサによって、前記手保護バリアの山の最上の手保護バリアの開口部に十分近い位置に利用者の手を検知した回数をカウントし、前記電子システムが、前記手保護バリアの山の中に、手保護バリアが所定の数しか残っていないと判断すると、前記インディケータＬＥＤを点滅させて警告信号を表示するように設置構成されていることを特徴とする請求項１に記載の手保護バリア分出器。
【請求項１８】
各々が上端付近の内部に開口部を有する手保護バリアの山から手保護バリアを分出する手保護バリア分出器であって、
前記手保護バリアの山を分出用に中に載置できる受容器を含むハウジングと、
前記ハウジング中に配置され、電力を供給されると、空気を吹き出す排気口を有する電気ブロアであって、前記電気ブロアは、バッテリから供給される電力によって稼働可能であって、前記電気ブロアが稼働すると、十分な空気を供給して前記手保護バリアの山のうちの最上の手保護バリアを開口させるのを促進するブラシレス直流ブロアを備える電気ブロアと、
前記ハウジング内に配置され、電力源に接続されて、作動されると前記電気ブロアに電力を供給し、作動されないと前記ブロアに電力を供給しないように構成されているスイッチ機構と、
前記電気ブロアの排気口に操作可能に接続され、前記スイッチ機構が作動されると、前記電気ブロアから吹き出された空気を受け取り、利用者が利用者の手を前記手保護バリアの山の前記最上の手保護バリアの開口部を通して挿入して前記最上の手保護バリアを着用しやすくするために、前記最上の手保護バリアを開口させるように、前記吹き出された空気を前記最上の手保護バリアの開口部に向かわせる少なくとも一つのノズルと、
を備え、
前記利用者の手が中に位置している前記最上の手保護バリアを、前記手保護バリアの山の残りから引き離すことによって、利用者によって着用された前記最上の手保護バリアが、前記手保護バリアの山から抜き出されることを特徴とする手保護バリア分出器。
【請求項１９】
前記電気ブロアの前記排気口には、少なくとも一つのノズルが設けられていることを特徴とする請求項１８に記載の手保護バリア分出器。
【請求項２０】
前記手保護バリア分出器を操作して、前記手保護バリアを開口させる電子システムをさらに備え、
前記電子システムは、
電子システムボードと、
前記ハウジングに配置され、前記電子システムボードに電気的に接続される一つ以上のバッテリと、
前記電子システムボードに電気的に接続され、弁を操作するソレノイドと、
前記手保護バリアの山の前記最上の手保護バリアの前記開口部に隣接した位置にユーザの手が近づいたことを検出するシステムセンサーとを備えていることを特徴とする請求項１８に記載の手保護バリア分出器。
【請求項２１】
前記ハウジングの外部から目視できるインディケータＬＥＤをさらに備え、
前記電子システムは、前記システムセンサによって、前記手保護バリアの山の最上の手保護バリアの開口部に十分近い位置に利用者の手を検知した回数をカウントし、前記電子システムが、前記手保護バリアの山の中に、手保護バリアが所定の数しか残っていないと判断すると、前記インディケータＬＥＤを点滅させて警告信号を表示するように設置構成されていることを特徴とする請求項１に記載の手保護バリア分出器。
【請求項２２】
各々が上端付近の内部に開口部を有する手保護バリアの山から手保護バリアを分出する手保護バリア分出器であって、
前記手保護バリアの山を分出用に中に載置できる受容器を含むハウジングとを備え、
前記受容器は、第一側部、第二側部、第一端部、第二端部を含んでおり、前記手保護バリアの山は、前記手保護バリアの上端部が前記受容器の前記第一端部に隣接した位置に配置されるように前記受容器に備えられ、
前記受容器は、Ｖ字形の断面で設置構成されており、前記Ｖ字の稜線が、前記受容器の前記第１および第２の側部と本質的に平行な方向に、かつ両者の中ほどで延出し、
前記手保護バリア分出器は、さらに、
前記ハウジング中に配置され、電力を供給されると、空気を吹き出す排気口を有する電気ブロアであって、前記電気ブロアは、バッテリから供給される電力によって稼働可能であり、前記電気ブロアが稼働すると、十分な空気を供給して前記手保護バリアの山のうちの最上の手保護バリアを開口させるのを促進するブラシレス直流ブロアを備える電気ブロアと、
前記ハウジング内に配置され、電力源に接続されて、作動されると前記電気ブロアに電力を供給し、作動されないと前記ブロアに電力を供給しないように構成されているスイッチ機構と、
前記電気ブロアの排気口に操作可能に接続され、前記スイッチ機構が作動されると、前記電気ブロアから吹き出された空気を受け取り、利用者が利用者の手を前記手保護バリアの山の前記最上の手保護バリアの開口部を通して挿入して前記最上の手保護バリアを着用しやすくするために、前記最上の手保護バリアを開口させるように、前記吹き出された空気を前記最上の手保護バリアの開口部に向かわせる少なくとも一つのノズルと、
前記手保護バリアの山のうちの前記最上の手保護バリアの前記開口部に隣接した位置にユーザの手が近づいたことを検出するシステムセンサと、
前記システムセンサーからの信号に応じて前記スイッチ機構を操作して前記電気ブロアに電力を供給し、前記少なくとも一つのノズルに空気を吹き出させて、前記手保護バリアを開口させる電子システムと、
を備え、
前記利用者の手が中に位置している前記最上の手保護バリアを、前記手保護バリアの山の残りから引き離すことによって、利用者によって着用された前記最上の手保護バリアが、前記手保護バリアの山から抜き出されることを特徴とする手保護バリア分出器。
【請求項２３】
各々がその上端に開口部を有する手保護バリアの山から、手保護バリア分出器によって、手保護バリアを分出する方法であって、
前記手保護バリア分出器の中の受容器に、前記手保護バリアの山を載置するステップと、
前記ハウジング内に配置された電気ブロアを設置するステップ、ここで、前記ハウジングは、前記電気ブロアによって電力が供給されると空気が噴出される排気口を有する、と
スイッチ機構によって、空気を吹き出すように前記電気ブロアの作動を制御するステップ、ここで、前記スイッチ機構は、前記スイッチ機構が作動されると前記電気式ブロアに電力を供給し、前記スイッチ機構が作動されないと前記電気式ブロアに電力を供給しない、と、
電子システムによって前記手保護バリア分出器を操作して、前記手保護バリアを開口させるステップ、ここで、前記電子システムは、電子システムボードと、前記ハウジング内に配置され、前記電子システムボードに電気的に接続される一つ以上のバッテリと、前記電子システムボードに電気的に接続され、弁を操作するソレノイドと、前記手保護バリアの山のうちの最上の手保護バリアの開口に隣接した位置にユーザの手が近づいたことを検出するセンサーとを備える、と、
前記スイッチ機構が作動されたときに前記電気ブロアから吹き出された空気を受け取る少なくとも１つのノズルを通して前記電気ブロアの前記排気口から吹き出された前記空気を、前記手保護バリアの山の最上の手保護バリアの開口部に向かわせるステップ、ここで、これによって、前記山のうちの最上の手保護バリアの前記開口部を通して利用者が利用者の手を挿入して前記最上の手保護バリアを着用しやすくするように、前記最上の手保護バリアを開口させる、と、
前記利用者の手が中に位置している前記最上の手保護バリアを、手保護バリアの前記山の残りから引き離すステップ、ここで、それによって利用者が着用した前記手保護バリアを前記手保護バリアの山から抜き出す、と、
を含むことを特徴とする手保護バリアを分出する方法。
【請求項２４】
各々が上端付近の内部に開口部を有する手保護バリアの山から手保護バリアを分出する手保護バリア分出器であって、
前記手保護バリアの山を分出用に中に載置できる受容器を含むハウジングと、
前記ハウジング中に配置される圧力ガス源と、
前記ハウジング内に配置され、前記圧力ガス源に接続されていて、開口されると前記圧力ガスの通過を可能にし、閉口されると前記圧力ガスの通過を妨げる弁と、
前記手保護バリアの分出器内に備えられ、前記弁に接続されて、前記弁が開口されると、前記弁からの圧力ガスを受け取り、利用者が利用者の手を前記手保護バリアの山の前記最上の手保護バリアの開口部を通して挿入して前記最上の手保護バリアを着用しやすくするために、前記最上の手保護バリアを開口させるように、前記圧力ガスを前記最上の手保護バリアの開口部に向かわせる少なくとも一つのノズルと、
前記手保護バリア分出器を操作して、前記手保護バリアを開口させる電子システムと、
を備え、
前記電子システムは、
電子システムボードと、
前記ハウジングに配置され、前記電子システムボードに電気的に接続される一つ以上のバッテリと、
前記電子システムボードに電気的に接続され、前記弁を操作するソレノイドと、
前記手保護バリアの山の前記最上の手保護バリアの前記開口部に隣接した位置にユーザの手が近づいたことを検出するシステムセンサーとを備え、
前記利用者の手が中に位置している前記最上の手保護バリアを、前記手保護バリアの山の残りから引き離すことによって、利用者によって着用された前記最上の手保護バリアが、前記手保護バリアの山から抜き出されることを特徴とする手保護バリア分出器。
【請求項２５】
前記受容器は、第１および第２の側部と、第１および第２の端部とを有し、    
前記手保護バリアの前記上端が前記受容器の前記第１の端部に近く配置された状態で、前記手保護バリアの山が前記受容器の中に載置される、ことを特徴とする請求項２４に記載の手保護バリア分出器。
【請求項２６】
前記手保護バリアは、本質的に長方形であり、付近に孔が配置された角があり、
山の中の前記手保護バリアは、前記山の手保護バリアの各々の角付近の孔に配置されたスプールで束ねられて保持されており、各々のスプールはその中を貫通して延出する孔を有し、
前記受容器は、さらに、各々が、前記第１および第２の側部のうちの１つと前記第１および第２の端部のうちの１つの交点で定義される４つの角の各々の付近で前記受容器の中に設置された分出器用搭載ペグを備え、
前記手保護バリアの山は、前記手保護バリアの山の前記複数のスプールを前記分出器搭載用ペグの対応する１つに設置することによって載置される、
ことを特徴とする請求項２５に記載の手保護バリア分出器。
【請求項２７】
前記手保護バリアの山は、さらに、その前記角のうちの２つを含む前記手保護バリアの上端を包み込むカラーを備え、
前記角の付近のスプールも、前記カラーの中に配置された孔を通して延出しており、
前記角付近に前記スプールがある状態の前記分出器搭載用ペグもまた、前記分出器搭載用ペグに設置された前記カラーの中に配置された孔を通して延出して、前記カラーと手保護バリアの上端を前記受容器の付近の位置に保つために前記受容器内に設置構成されていることを特徴とする請求項２６に記載の手保護バリア分出器。
【請求項２８】
前記受容器は、Ｖ字形の断面で設置構成されており、前記Ｖ字の稜線が、前記受容器の前記第１および第２の側部と本質的に平行な方向に、かつ両者の中ほどで延出し、
前記手保護バリアの山が前記受容器に載置されると、前記手保護バリアの山もまた、Ｖ字形の断面で設置構成され、前記Ｖ字の稜線が、前記手保護バリアの山の手保護バリアの第１および第２の側部と本質的に平行な方向に、かつ両者の中ほどで延出している、
ことを特徴とする請求項２５に記載の手保護バリア分出器。
【請求項２９】
前記受容器が、長方形の持ち上げられたフロアを備え、
前記フロアは、前記受容器の前記第１および第２の側部の中間で延出し、しかし、前記手保護バリアの山の前記手保護バリアの前記開口部を、前記手保護バリアの上端の上に持ち上げるように設置構成され、前記受容器の前記第１の端部から離れて配置され、前記少なくとも１つのノズルからの圧力ガスが、前記手保護バリアの山の手保護バリアの最上の１つの手保護バリアを容易に開口できるようにすることを特徴とする請求項２８に記載の手保護バリア分出器。
【請求項３０】
前記各々の手保護バリアの山の開口部は、前記手保護バリアの山の最上の手保護バリアが一旦開口されると、開口したままにしやすくする折り畳まれた折り返しを有する、ことを特徴とする請求項２８に記載の手保護バリア分出器。
【請求項３１】
少なくとも１つのノズルが配置され、前記最上の手保護バリアを開口するように構成されていることを特徴とする請求項２８に記載の手保護バリア分出器。
【請求項３２】
前記少なくとも１つのノズルは、前記受容器の前記第１の端部付近の位置で前記手保護バリア分出器内に設置されていることを特徴とする請求項２５に記載の手保護バリア分出器。
【請求項３３】
前記受容体の略全体が上側で開口しており、前記手保護バリアの山が、分出される位置に載置されたときに、前記手保護バリアの山が目視できるようにすることを特徴とする請求項２４に記載の手保護バリア分出器。
【請求項３４】
前記少なくとも１つのノズルは、複数のノズルを備え、
前記複数のノズルのうちの少なくとも一つのノズルは、前記手保護バリアの山の最上の前記手保護バリアを最初に開口し、前記複数のノズルのうちの他の少なくとも一つのノズルが設けられ、前記他の少なくとも一つのノズルは、前記手保護バリアの山の最上の前記手保護バリアを完全に開口して、開口状態に維持するように設置構成されていることを特徴とする請求項２４に記載の手保護バリア分出器。
【請求項３５】
請求項３４に記載の手保護バリア分出器であって、前記手保護バリア分出器は、
圧力マニホールドを画定する中空の内部構造を有するＴ字のノズルスタンドを有しており、
第一のノズルは、前記Ｔ字のノズルスタンドのＴの垂直足部のほぼ中間に配置され、第二のノズル及び第三のノズルは、前記Ｔ字のノズルスタンドのＴの垂直の上部の相対する端部にそれぞれ設けられていることを特徴とする請求項３４に記載の手保護バリア分出器。
【請求項３６】
前記システムセンサが、
光信号または高周波信号を生成する信号源と、
前記光信号または高周波信号が、前記センサに十分に近いところから反射する場合は、反射した前記光信号または高周波信号を検知する信号センサと、
を備えることを特徴とする請求項２４に記載の手保護バリア分出器。
【請求項３７】
前記電子システムは、前記手保護バリアを開口させるために、前記システムセンサによって、前記手保護バリアの山の最上の手保護バリアの開口部に十分に近い位置にある利用者の手が検出された後に、所定の時間の期間だけ前記手保護バリア分出器を作動させるように設置構成され、
前記所定の時間の期間が十分長く、前記手保護バリアの山の最上の手保護バリアの開口部の付近に検出された前記利用者の手が、前記最上の手保護バリアと係合し、前記最上の手保護バリアを、前記手保護バリアの山から除去でき、それによって、前記最上の手保護バリアの除去に続いて、前記手保護バリアの山のうちの次の手保護バリアが開口されることを特徴とする請求項２４に記載の手保護バリア分出器。
【請求項３８】
前記所定の時間の期間は３秒から２０秒の間である、ことを特徴とする請求項３７に記載の手保護バリア分出器。
【請求項３９】
前記電子システムは、前記手保護バリア分出器を作動させて、前記手保護バリアの山の最上の手保護バリアの開口部の十分近くに、利用者の手が前記システムセンサによって検出されると前記手保護バリアを開口するように設置構成されている、ことを特徴とする請求項２４に記載の手保護バリア分出器。
【請求項４０】
前記ハウジングの外部から目視できるインディケータＬＥＤをさらに備え、
前記電子システムは、前記システムセンサによって、前記手保護バリアの山の最上の手保護バリアの開口部に十分近い位置に利用者の手を検知した回数をカウントし、前記電子システムが、前記手保護バリアの山の中に、手保護バリアが所定の数しか残っていないと判断すると、前記インディケータＬＥＤを点滅させて警告信号を表示するように設置構成されていることを特徴とする請求項２４に記載の手保護バリア分出器。
【請求項４１】
各々が上端付近の内部に開口部を有する手保護バリアの山から手保護バリアを分出する手保護バリア分出器であって、
前記手保護バリアの山を分出用に中に載置できる受容器を含むハウジングと、
前記ハウジング中に配置され、圧縮二酸化炭素ガスの容器を含む、圧力ガス源と、
前記ハウジング内に配置され、前記圧力ガス源に接続されていて、開口されると前記圧力ガスの通過を可能にし、閉口されると前記圧力ガスの通過を妨げる弁と、
前記手保護バリアの分出器内に備えられ、前記弁に接続されて、前記弁が開口されると、前記弁からの圧力ガスを受け取り、利用者が利用者の手を前記手保護バリアの山の前記最上の手保護バリアの開口部を通して挿入して前記最上の手保護バリアを着用しやすくするために、前記最上の手保護バリアを開口させるように、前記圧力ガスを前記最上の手保護バリアの開口部に向かわせる少なくとも一つのノズルと
を備え、
前記利用者の手が中に位置している前記最上の手保護バリアを、前記手保護バリアの山の残りから引き離すことによって、利用者によって着用された前記最上の手保護バリアが、前記手保護バリアの山から抜き出されることを特徴とする手保護バリア分出器。
【請求項４２】
前記圧力ガス源は、さらに、前記圧縮二酸化炭素の容器を受けるマニホールド組立体と、前記マニホールド組立体に接続されて、前記弁に供給される圧縮ガスの圧力を調節する圧力調整器とを備えることを特徴とする請求項４１に記載の手保護バリア分出器。
【請求項４３】
前記手保護バリア分出器を操作して、前記手保護バリアを開口させる電子システムをさらに備え、
前記電子システムは、
電子システムボードと、
前記ハウジングに配置され、前記電子システムボードに電気的に接続される一つ以上のバッテリと、
前記電子システムボードに電気的に接続され、前記弁を操作するソレノイドと、
前記手保護バリアの山の前記最上の手保護バリアの前記開口部に隣接した位置にユーザの手が近づいたことを検出するシステムセンサーとを備えていることを特徴とする請求項４１に記載の手保護バリア分出器。
【請求項４４】
前記ハウジングの外部から目視できるインディケータＬＥＤをさらに備え、
前記電子システムは、前記システムセンサによって、前記手保護バリアの山の最上の手保護バリアの開口部に十分近い位置に利用者の手を検知した回数をカウントし、前記電子システムが、前記手保護バリアの山の中に、手保護バリアが所定の数しか残っていないと判断すると、前記インディケータＬＥＤを点滅させて警告信号を表示するように設置構成されていることを特徴とする請求項４３に記載の手保護バリア分出器。
【請求項４５】
各々が上端付近の内部に開口部を有する手保護バリアの山から手保護バリアを分出する手保護バリア分出器であって、
前記手保護バリアの山を分出用に中に載置できる受容器を含むハウジングとを備え、
前記受容器は、第一側面、第二側面、第一端部、第二端部を含んでおり、前記手保護バリアの山は、前記手保護バリアの前記上端部が前記受容器の前記第一端部に隣接した位置に配置されるように前記受容器に備えられ、
前記受容器は、Ｖ字形の断面で設置構成されており、前記Ｖ字の稜線が、前記受容器の前記第１および第２の側部と本質的に平行な方向に、かつ両者の中ほどで延出し、
前記手保護バリア分出器は、さらに、
前記ハウジング中に配置される圧力ガス源を備え、
前記圧力ガス源は、
圧縮二酸化炭素ガスの容器と、
前記ハウジング内に配置され、前記圧力ガス源に接続されていて、開口されると前記圧力ガスの通過を可能にし、閉口されると前記圧力ガスの通過を妨げる弁と、
前記手保護バリアの分出器内に備えられ、前記弁に接続されて、前記弁が開口されると、前記弁からの圧力ガスを受け取り、利用者が利用者の手を前記手保護バリアの山の前記最上の手保護バリアの開口部を通して挿入して前記最上の手保護バリアを着用しやすくするために、前記最上の手保護バリアを開口させるように、前記圧力ガスを前記最上の手保護バリアの開口部に向かわせる少なくとも一つのノズルと、
前記手保護バリアの山のうちの前記最上の手保護バリアの前記開口部に隣接した位置にユーザの手が近づいたことを検出するシステムセンサと、
前記システムセンサーからの信号に応じて前記弁を操作して、前記少なくとも一つのノズルに圧縮ガスを供給して、前記手保護バリアを開口させる電子システムと、を備え、
前記利用者の手が中に位置している前記最上の手保護バリアを、前記手保護バリアの山の残りから引き離すことによって、利用者によって着用された前記最上の手保護バリアが、前記手保護バリアの山から抜き出されることを特徴とする手保護バリア分出器。
【請求項４６】
各々がその上端に開口部を有する手保護バリアの山から、手保護バリア分出器によって、手保護バリアを分出する方法であって、
前記手保護バリア分出器の中の受容器に、前記手保護バリアの山を載置するステップと、
前記ハウジング内に備えられる圧力ガス源を設置するステップと、
前記圧力ガス源に接続される弁によって、前記圧力ガスの通過を制御するステップ、ここで、前記弁は、開位置の場合前記圧力ガスの通過を可能にし、閉位置の場合前記圧力ガスの通過を不可能にする、と、
前記電子システムによって、前記手保護バリア分出器を操作して、前記手保護バリアを開くステップ、ここで、前記電子システムは、電子システムボードと、前記ハウジング内に配置され、前記電子システムボードに電気的に接続される一つ以上のバッテリと、前記電子システムボードに電気的に接続され、弁を操作するソレノイドと、前記手保護バリアの山のうちの最上の手保護バリアの開口に隣接した位置にユーザの手が近づいたことを検出するセンサーとを備える、と、
前記弁が開位置の場合に前記弁からの加圧ガスを受ける少なくとも一つのノズルを通して、前記加圧ガスを、前記手保護バリアの山のうちの最上の手保護バリアの開口部に向かわせるステップ、ここで、これによって、前記山のうちの最上の手保護バリアの前記開口部を通して利用者が利用者の手を挿入して前記最上の手保護バリアを着用しやすくするように、前記最上の手保護バリアを開口させる、と、
前記利用者の手が中に位置している前記最上の手保護バリアを、手保護バリアの前記山の残りから引き離すステップ、ここで、それによって利用者が着用した前記手保護バリアを前記手保護バリアの山から抜き出す、と、
を含むことを特徴とする手保護バリアを分出する方法。